(57)【要約】      （修正有）【課題】既存の枠組足場に布板の摺動規制機能を付与する布板規制具を提供する。【解決手段】枠組足場を構成する横架材と建地との接合箇所の近傍に取り付ける布板規制具Ａであり、前記横架材の側部を挟み込む収容空間を有する本体部１０と、前記本体部１０から延出自在に構成し、前記本体部１０と共働して横架材を把持可能なフック部２０と、を少なくとも設ける。前記本体部１０は、横方向に伸びるシャフト１４を複数有し、前記フック部２０は、前記複数のシャフト１４を横方向に挿通して前記フック部２０の延出方向を案内する、案内溝２２１を有する。この布板規制具Ａを横架材に取り付けることで布板の摺動を規制する。【選択図】図１
0003204422.tif 000002
【実用新案登録請求の範囲】
【請求項１】
枠組足場を構成する横架材と建地との接合箇所の近傍に取り付けて、前記横架材に係止する布板の摺動を規制する、布板規制具であって、
前記横架材の側部を挟み込む収容空間を有する、本体部と、
前記本体部から延出自在に構成し、前記本体部と共働して横架材を把持可能な、フック部と、を少なくとも具備し、
前記本体部は、横方向に伸びるシャフトを複数有し、
前記フック部は、前記複数のシャフトを横方向に挿通して前記フック部の延出方向を案内する、案内溝を有することを特徴とする、
布板規制具。
【請求項２】
前記本体部が、中間部と、該中間部の両端から略直交方向に伸びる一対の側部とで、平面視コ字状を呈しており、
前記本体部のコ字状の開口側に、前記複数のシャフトを設けてあることを特徴とする、
請求項１に記載の布板規制具。
【請求項３】
前記フック部が、連絡部と、該連絡部の両端から伸びる一対の湾曲部と、からなり、
前記湾曲部に、前記案内溝を形成してあることを特徴とする、
請求項１または２に記載の布板規制具。
【請求項４】
前記本体部の上方に設ける補助床部と、を更に有し、
前記補助床部は、前記布板の側方に設置する幅木間を架け渡し可能な長さを呈することを特徴とする、
請求項１乃至３のうち何れか１項に記載の布板規制具。
【請求項５】
前記補助床部が、前記一対の湾曲部を上下方向にそれぞれ挿通可能な一対の貫通溝を有し、
前記フック部の延出長さが、前記連絡部と前記補助床部との干渉によって制限されることを特徴とする、
請求項４に記載の布板規制具。
【請求項６】
前記補助床の貫通溝の間に、補助溝を設けてあることを特徴とする、
請求項５に記載の布板規制具。
【考案の詳細な説明】
【技術分野】
【０００１】
本考案は、枠組足場を構成する横架材と建地との接合箇所の近傍に取り付けて、前記横架材に係止する布板の摺動を規制するための布板規制具に関する。
【背景技術】
【０００２】
平成２７年７月１日付けで施行された労働安全規則の一部を改正する省令において、仮設足場での作業員の転落防止措置として、足場における高さ２ｍ以上の作業場所では、建地と布板との間の隙間を１２ｃｍ未満とすることが規定された。
【考案の概要】
【考案が解決しようとする課題】
【０００３】
しかし、図４に示す通り、従来の枠組足場では、横架材Ｂ間に架設した布板Ｃを、一方の建地側に引き寄せたとき、他方の建地側において、建地と布板との間の隙間Ｌが１２ｃｍを超えてしまい、前記した省令に係る基準を満たすことが出来ない懸念がある。
この省令に係る基準を満たす方法の一つとしては、布板Ｃのサイズをより幅広とした物を新たに生産する方法が考えられるが、既存の布板Ｃが使用できなくなり、廃棄対象となって環境面やコスト面でデメリットが大きい。
【０００４】
そこで、本考案は、以下の課題のうち、少なくとも何れか１つの問題の解決を目的とする。
（１）既存の枠組足場に布板の摺動規制機能を付与すること。
（２）利便性や安全性を高めること。
【課題を解決するための手段】
【０００５】
上記課題を解決すべくなされた本願の第１考案は、枠組足場を構成する横架材と建地との接合箇所の近傍に取り付けて、前記横架材に係止する布板の摺動を規制する、布板規制具であって、前記横架材の側部を挟み込む収容空間を有する、本体部と、前記本体部から延出自在に構成し、前記本体部と共働して横架材を把持可能な、フック部と、を少なくとも具備し、前記本体部は、横方向に伸びるシャフトを複数有し、前記フック部は、前記複数のシャフトを横方向に挿通して前記フック部の延出方向を案内する、案内溝を有することを特徴とするものである。
また、本願の第２考案は、前記第１考案において、前記本体部が、中間部と、該中間部の両端から略直交方向に伸びる一対の側部とで、平面視コ字状を呈しており、前記本体部のコ字状の開口側に、前記複数のシャフトを設けてあることを特徴とするものである。
また、本願の第３考案は、前記第１または第２考案において、前記フック部が、連絡部と、該連絡部の両端から伸びる一対の湾曲部と、からなり、前記湾曲部に、前記案内溝を形成してあることを特徴とするものである。
また、本願の第４考案は、前記第１乃至第３考案のうち何れか１つにおいて、前記本体部の上方に設ける補助床部と、を更に有し、前記補助床部は、前記布板の側方に設置する幅木間を架け渡し可能な長さを呈することを特徴とするものである。
また、本願の第５考案は、前記第４考案において、前記補助床部が、前記一対の湾曲部を上下方向にそれぞれ挿通可能な一対の貫通溝を有し、
前記フック部の延出長さが、前記連絡部と前記補助床部との干渉によって制限されることを特徴とするものである。
また、本願の第６考案は、前記第５考案において、前記補助床の貫通溝の間に、補助溝を設けてあることを特徴とするものである。
【考案の効果】
【０００６】
本考案によれば、以下に記載する効果のうち、少なくとも何れか１つの効果を奏する。
（１）枠組足場に、布板の摺動規制機能を付与することができる。
よって、既存の枠組足場でもって新たな省令への対応が可能となる。
（２）脱着が容易である。
シャフトを設けた本体部と、前記シャフトを、案内溝を介して案内するフック部との組合せによって、脱着作業を容易に実施できる。
（３）横架材の径の大小に対応できる。
横架材の径の大小に応じて、前記フック部の延出長さを調整できる。
（４）幅木間の隙間を埋めることができる。
補助床でもって布板の側方に設置する幅木間の隙間を埋めて、作業員の踏み外しの危険性や、工具の落下等を防止することができる。
（５）横架材を確実に把持できる。
取付作業の際には、連絡部をハンマーなどで打撃することによって、フック部を延出させることで横架材を確実に把持することができる。
（６）取り外しが簡単になる。
布板規制具を横架材から取り外すにあたり、前記補助床に設けた補助溝を設けておくことで、前記フック部の引き上げ時に、前記連絡部をつまみ易くすることができる。
【図面の簡単な説明】
【０００７】
【図１】本考案に係る布板規制具の分解斜視図。
【図２】本考案に係る布板規制具を横架材に取り付ける際の概略断面図。
【図３】本考案に係る布板規制具を横架材に取り付けた際の平面図。
【図４】従来の枠組足場の設置イメージを示す平面図。
【考案を実施するための形態】
【０００８】
以下、図面を参照しながら、本考案の実施例について説明する。
【実施例】
【０００９】
＜１＞全体構成
図１に、本考案に係る布板規制具の分解斜視図を示す。
本考案に係る布板規制具Ａは、枠組足場を構成する横架材Ｂに取り付ける部材であり、より詳細には、横架材Ｂと建地との接合箇所の近傍に取り付けて使用するものである。
図１に示す布板規制具Ａは、大別して本体部１０と、フック部２０と、補助床部３０と、で構成している。
以下、各部の詳細について説明する。
【００１０】
＜２＞本体部
本体部１０は、横架材Ｂを上から挟み込むための基材として機能するための部材である。
本体部１０は、中間部１１と、該中間部１１の両端から略直交方向に伸びる一対の側部１２とで、平面視してコ字状を呈する部材で構成することができる。
また、この本体部１０の下方には、前記横架材Ｂの側部を挟み込むために形成した凹部からなる収容空間１３を設けている。
この収容空間１３を挟んで対向した位置にある、側部１２の開口側には、一対の側部１２を繋ぐように複数のシャフト１４を取り付けている。
より具体的には、側部１２の開口側には、シャフト１４を挿通可能な貫通孔１２１を設けておく。シャフト１４は、長尺状のボルトを用い、このシャフトを前記貫通孔１２１に挿通してからナットで固定することによって、側部１２間を連絡するようにシャフト１４が取り付けられた状態となる。
【００１１】
＜３＞フック部
フック部２０は、本体部１０で横架材Ｂの側方を挟んだ状態から、さらに横架材Ｂの下方から該横架材Ｂを挟んで把持するための部材である。
フック部２０は、前記本体部から延出自在に構成する。
フック部２０は、連絡部２１と、該連絡部２１の両端から伸びる一対の湾曲部２２と、からなる。
フック部２０の横幅は、前記本体部１０を構成する側部１２の内壁間よりもやや小さくして、前記本体部１０の内部に前記フック部２０を収容可能に構成する。
フック部２０の湾曲部２２には、前記本体部１０のシャフト１４を挿通可能な案内溝２２１を設けておき、この案内溝２２１内を前記シャフト１４が摺動することにより、前記本体部１０からの前記フック部２０の延出軌跡を規定することができる。
【００１２】
＜４＞補助床部
補助床部３０は、枠組足場を構成する幅木間の隙間を埋める為の部材である。
補助床部３０は、前記本体部１０の上方に設けて、布板の側方に配置する幅木間を跨ぐ程度の長さを呈する。
補助床部３０には、前記フック部２０の湾曲部２２を挿通可能な貫通溝３１を有しており、補助床部３０の上方から前記フック部２０の湾曲部２２を本体部１０の内部へ挿入したのち、前記湾曲部２２の案内溝２２１を経由するように、前記本体部１０に前記シャフト１４を差し入れて固定することで、布板規制具Ａを完成する。
よって、フック部２０の連絡部２１は、補助床部３０の上方に位置した状態となる。
【００１３】
＜４．１＞補助溝
補助床部３０の前記貫通溝３１の間には、補助溝３２を設けておくことができる。
本実施例では、補助溝３２は、上下に貫通した態様であるが、補助床部３０の上面から下方に段差を設けた態様としてもよい。
【００１４】
＜５＞設置イメージ
図２，３を参照しながら、本考案に係る布板規制具Ａの設置イメージを示す。
まず、フック部２０の先端を露出しない状態で、本体部１０の収容空間１４でもって横架材Ｂを挟み込む（図２（ａ））。
その後、フック部２０の先端を下方に延出させて、横架材Ｂを把持する（図２（ｂ））。このとき、連絡部２１をハンマーなどで打撃して、フック部２０の先端の露出しろを長くすると、横架材Ｂをより強固に把持することができる。
【００１５】
図３は、本考案に係る布板規制具を横架材に配置した際の概略平面図である。
図３では、足場部分の通行幅に対応する横架材Ｂの全長に対し、サイズの異なる布板Ｃが二枚隣接して取り付けられている。
そして、この布板Ｃの幅長の合計は、前記横架材Ｂの全長に対して短いため、布板Ｃの摺動しろが存在している。
本考案に係る布板規制具Ａは、横架材Ｂに対し、該横架材Ｂと建地との間の接合箇所近傍に取り付けることで、布板Ｃの横架材Ｂの長手方向への摺動を規制することができる。
【００１６】
また、横架材Ｂには、足場の通行方向を前後方向と規定したときに、当該前後方向からそれぞれ布板Ｃが係止されており、横架材Ｂと建地との間の接合箇所近傍には、建地と布板Ｃの側面との間の空隙を埋めるように、幅木Ｄが設置されている。
通常、この幅木Ｄ間にも隙間が生じることとなるが、本考案に係る布板規制具Ａを設置すれば、この幅木Ｄ間の空隙を補助床部３０でもって塞ぐことができる。
【符号の説明】
【００１７】
Ａ      布板規制具
Ｂ      横架材
Ｃ      布板
Ｄ      幅木
Ｌ      隙間
１０    本体部
１１    中間部
１２    側部
１３    収容空間
１４    シャフト
２０    フック部
２１    連絡部
２２    湾曲部
２２１  案内溝
３０    補助床部
３１    貫通溝
３２    補助溝
３３    貫通溝
【図１】
0003204422.tif 000003
【図２】
0003204422.tif 000004
【図３】
0003204422.tif 000005
【図４】
0003204422.tif 000006